(57)【要約】【課題】冷房、暖房両運転時のエネルギ効率を向上させた空気調和機を提供する。【解決手段】圧縮機１と、熱交換器（図示せず）と、送風機（図示せず）と、絞り装置（図示せず）で形成された冷凍サイクルを有し、前記圧縮機１の外郭１ａ内に形成した中空層２に連通するポンプ３を具備するもので、暖房運転時に中空層２の空気を前記ポンプ３で減圧することにより、前記中空層２で断熱効果が得られ、圧縮機１からの放熱を防止することができ、暖房運転時のエネルギ効率を向上させることができる。また、冷房運転時には、ポンプ３を運転しないようにして、中空層２に空気が自然導入されるようにすれば、中空層２での断熱効果が失われ、圧縮機１での放熱が促進され冷房運転時のエネルギ効率を向上させることができる。【選択図】図１
2005300058.tif 000002
【特許請求の範囲】
【請求項１】
圧縮機と、熱交換器と、送風機と、絞り装置で形成された冷凍サイクルを有し、前記圧縮機の外郭内に形成した中空層に連通する減圧手段を具備することを特徴とする空気調和機。
【請求項２】
中空層と減圧手段とを連通する吸引配管に吸引電磁弁と大気開放電磁弁を配設し、暖房運転時には、前記大気開放電磁弁を閉じかつ前記吸引電磁弁を開いて前記減圧手段を運転し、冷房運転時には、少なくとも前記大気開放電磁弁を開くようにしたことを特徴とする請求項１に記載の空気調和機。
【発明の詳細な説明】
【技術分野】
【０００１】
本発明は空気調和機に関するもので、特にエネルギ効率の向上を図った空気調和機に関するものである。
【背景技術】
【０００２】
従来のこの種の空気調和機として、図４に示すような、圧縮機１の側部に防音材２１を、上部に防音材２２を固定具２３で固定したものがある（例えば、特許文献１参照）。
【０００３】
また、図５に示すような、圧縮機１の外郭を、断熱部材２４でほぼ完全に覆って構成し、暖房能力を向上させるようにしたものもある（例えば、特許文献２参照）。
【特許文献１】特公平６−６８３９６号公報
【特許文献２】特開平８−１９３５９０号公報
【発明の開示】
【発明が解決しようとする課題】
【０００４】
しかしながら、圧縮機に防音材を固定した空気調和機は、あくまでも防音を目的としたものであり、圧縮機からの放熱を防止してエネルギ効率を向上させるものではなかった。
【０００５】
また、圧縮機を断熱部材で覆った空気調和機の場合は、暖房運転時は圧縮機からの放熱を防止して暖房能力の向上を図ることができるが、冷房運転時には、圧縮機からの放熱が阻害され、結果として冷房運転時のエネルギ効率が逆に低下してしまうという課題を有していた。
【０００６】
本発明は、前記従来の課題を解決するもので、暖房運転時は圧縮機からの放熱を防止する一方、冷房運転時には圧縮機からの放熱を阻害しないようにして、冷房運転および暖房運転時のエネルギ効率を向上させた空気調和機を提供することを目的とする。
【課題を解決するための手段】
【０００７】
前記従来の課題を解決するために、本発明の空気調和機は、圧縮機と、熱交換器と、送風機と、絞り装置で形成された冷凍サイクルを有し、前記圧縮機の外郭内に形成した中空層に連通する減圧手段を具備するもので、暖房運転時に中空層の空気を前記減圧手段で減圧することにより、前記中空層で断熱効果が得られ、圧縮機からの放熱を防止することができ、暖房運転時のエネルギ効率を向上させることができる。また、冷房運転時には、減圧手段を運転しないようにして、中空層に空気が自然導入されるようにすれば、中空層での断熱効果が失われ、圧縮機での放熱が促進され冷房運転時のエネルギ効率を向上させることができる。
【発明の効果】
【０００８】
本発明の空気調和機は、暖房運転時に圧縮機からの放熱を防止し、冷房運転時には圧縮機からの放熱を促進することで、暖房運転、冷房運転共にエネルギ効率を向上させることができる。
【発明を実施するための最良の形態】
【０００９】
第１の発明は、圧縮機と、熱交換器と、送風機と、絞り装置で形成された冷凍サイクルを有し、前記圧縮機の外郭内に形成した中空層に連通する減圧手段を具備するもので、暖房運転時に中空層の空気を前記減圧手段で減圧することにより、前記中空層で断熱効果が得られ、圧縮機からの放熱を防止することができ、暖房運転時のエネルギ効率を向上させ
ることができる。また、冷房運転時には、減圧手段を運転しないようにして、中空層に空気が自然導入されるようにすれば、中空層での断熱効果が失われ、圧縮機での放熱が促進され冷房運転時のエネルギ効率を向上させることができる。
【００１０】
第２の発明は、特に、第１の発明の中空層と減圧手段とを連通する吸引配管に吸引電磁弁と大気開放電磁弁を配設し、暖房運転時には、前記大気開放電磁弁を閉じかつ前記吸引電磁弁を開いて前記減圧手段を運転し、冷房運転時には、少なくとも前記大気開放電磁弁を開くようにしたもので、暖房運転時に、減圧手段で中空層の空気を減圧して、中空層に断熱効果を持たせ、圧縮機からの放熱を防止し、また、冷房運転時には大気解放電磁弁を開いて中空層内に空気を導入することにより、中空層での断熱効果を低減し、圧縮機からの放熱を促進させることで、暖房、冷房運転の両方でエネルギ効率を向上させることができる。
【００１１】
以下、本発明の実施の形態について図面を参照して説明する。なお、この実施の形態によって本発明が限定されるものではない。
【００１２】
（実施の形態１）
図１は、本発明の第１の実施の形態における空気調和機の概略図を示すものであり、図２は圧縮機の外郭の断面図である。
【００１３】
図１において、空気調和機は、圧縮機構部とこれを駆動するモータ部を密閉容器内に配置した圧縮機１と、熱交換器（図示せず）と、送風機（図示せず）、絞り装置（図示せず）から構成された周知の冷凍サイクルを備え、圧縮機１の外郭１ａ内に中空層２を設け、前記中空層２は、吸引配管４を介して減圧手段であるポンプ３に連通している。
【００１４】
以上のように構成された空気調和機について、以下その動作、作用を説明する。
【００１５】
まず、暖房運転時に、ポンプ３を運転する事により中空層２内が減圧されて、中空層２が断熱層となり断熱効果が得られ、圧縮機１からの放熱を防止することができる。
【００１６】
以上のように、本実施の形態においては、圧縮機１の外郭１ａ内に中空層２を設け、中空層２内の空気をポンプ３で減圧して、中空層２で断熱効果が得られ、圧縮機１からの放熱を防止することができ、結果として暖房時のエネルギ効率を向上させることができる。通常の空気調和機では、暖房時に圧縮機１の外郭１ａ表面からの放熱で、室内機（図示せず）での放熱量の２％から１０％程度ロスしているので、圧縮機１からの放熱を防止することで、室内機での放熱量が２％から１０％程度向上し、結果として、暖房運転時のエネルギ効率が向上させることができる。
【００１７】
また、冷房運転時には、ポンプ３を運転しないようにすることで、中空層２に空気が自然と導入され、中空層２での断熱効果が失われ、圧縮機１での放熱が促進され冷房運転時のエネルギ効率を向上させることができる。
【００１８】
（実施の形態２）
図３は、本発明の第２の実施の形態における空気調和機の概略図を示すものである。なお、上記実施の形態と同一部分については、同一符号を付してその説明を省略する。
【００１９】
本実施の形態は、図３に示すように、中空層２とポンプ３とを連通する吸引配管４に、吸引電磁弁５および大気開放電磁弁６を配設したものである。
【００２０】
以上のように構成された空気調和機について、以下その動作、作用を説明する。
【００２１】
まず、暖房運転時には大気開放電磁弁６を閉じ、吸引電磁弁５を開いて中空層２内の空気をポンプ３で排出し、十分減圧した後、吸引電磁弁５を閉じてポンプ３を停止する。これにより、上記第１の実施の形態同様、中空層２が断熱効果を発揮し、圧縮機１からの放熱を防止し、エネルギ効率の向上を図る事ができる。
【００２２】
他方、冷房運転を行なう時は、大気開放電磁弁６を開いて、中空層２内に外気を導入させる事により、中空層２での断熱性が低減し、圧縮機１からの放熱を促進することができる。
【００２３】
以上のように、本実施の形態においては、圧縮機１の外郭１ａに中空層２を設け、さらに、中空層２とポンプ３の間に設置された吸引配管４に、吸引電磁弁５および大気開放電磁弁６を配設し、暖房運転時には中空層２の空気を減圧して、中空層２で断熱効果を発揮して、圧縮機１からの放熱を防止し、冷房運転時には、中空層２内に空気を導入することにより、中空層２の断熱性を低減し、圧縮機１からの放熱を促進させて圧縮機１での放熱効果を高めて、暖房時、冷房時ともにエネルギ効率を向上させることができる。
【００２４】
通常の空気調和機では、冷房時に圧縮機１の外郭１ａ表面からの放熱が、室外機での放熱量の２％から６％程度で、凝縮能力の向上に寄与しており、圧縮機１からの放熱を促進することで、冷房運転時のエネルギ効率を向上させることができる。
【産業上の利用可能性】
【００２５】
以上のように本発明に係る空気調和機は、ルームエアコン、パッケージエアコンなどの空気調和機のみならず、ヒートポンプ給湯機、ヒートポンプを用いた車両用空調機および加熱保存する自動販売機やショーケース等、エネルギ関連機器の省エネルギ化等の用途にも広く適用できる。
【図面の簡単な説明】
【００２６】
【図１】本発明の実施の形態１における空気調和機の概略図
【図２】同空気調和機の圧縮機の外郭の断面図
【図３】本発明の実施の形態２における空気調和機の概略図
【図４】従来の空気調和機の圧縮機の概略図
【図５】従来の他の例を示す空気調和機の圧縮機の概略図
【符号の説明】
【００２７】
１  圧縮機
１ａ  外郭
２  中空層
３  ポンプ（減圧手段）
４  吸引配管
５  吸引電磁弁
６  大気開放電磁弁
【図１】
2005300058.tif 000003
【図２】
2005300058.tif 000004
【図３】
2005300058.tif 000005
【図４】
2005300058.tif 000006
【図５】
2005300058.tif 000007